(57)【要約】【課題】複数のラッチ部材の位置を移動させるための単一の調整点を有する多重ラッチアセンブリを提供する。【解決手段】ラッチ機構は、ハウジングと、該ハウジングに受容される担持体アセンブリとを備える。担持体アセンブリは、一対のラッチフックを備える。担持体位置調整アセンブリは、ラッチフックが第２位置にあるときに該ラッチフックがハウジングから突出する距離を変更すべく、担持体アセンブリが担持体位置調整アセンブリによってハウジング内で選択的に移動できるように、ハウジングと担持体アセンブリを作動可能に連結する。衝撃音防止機構も担持体に連結することができ、同じ調整機構により選択的に移動させることができる。【特許請求の範囲】
【請求項１】
開口部を画成するドア枠と、該ドア枠が画成する開口部を開閉するために該ドア枠の軌道内で摺動可能であり、かつ縁にほぞ穴を有する縦框を備える戸と、前記ほぞ穴に受容されるラッチアセンブリとを備える引き戸アセンブリであって、
前記ラッチアセンブリは、
ハウジングと、
前記ハウジングに受容される担持体アセンブリと、該担持体アセンブリは、作動可能に連結されたアクチュエータリンク機構を有する一対のラッチフックを備えることと、該ラッチフックは、前記アクチュエータリンク機構によって、前記ラッチフックが実質的にハウジング内にある第１位置と、前記ラッチフックの各々の一部が前記ハウジングからほぼ等距離だけ突出して前記ドア枠と係合する第２位置との間で選択的に移動可能であることと、
前記ハウジングと前記担持体アセンブリを作動可能に連結する担持体位置調整アセンブリと、前記担持体アセンブリは、前記担持体位置調整アセンブリによって、前記ラッチフックが第２位置にあるときに該ラッチフックが前記ハウジングから突出する距離を変更するように、前記ハウジング内で選択的に移動可能であることと
を備える、引き戸アセンブリ。
【請求項２】
前記担持体アセンブリがさらに衝撃音防止機構を備える、請求項１に記載の引き戸アセンブリ。
【請求項３】
前記衝撃音防止機構が前記ハウジングから突出するボタンを備える、請求項２に記載の引き戸アセンブリ。
【請求項４】
前記衝撃音防止機構は、前記担持体位置調整アセンブリによって、前記ボタンが前記ハウジングから突出する距離を変更するように移動可能である、請求項３に記載の引き戸アセンブリ。
【請求項５】
前記担持体位置調整アセンブリが回転可能なねじを備える、請求項１に記載の引き戸アセンブリ。
【請求項６】
前記担持体位置調整アセンブリが、前記担持体の移動限界に対する該担持体の相対位置を示す目視インジケータを備える、請求項１に記載の引き戸アセンブリ。
【請求項７】
前記担持体位置調整アセンブリが回転可能なねじを備え、前記ハウジングが該回転可能なねじにアクセスするための長尺状開口を画成し、該長尺状開口内における回転可能なねじの位置が、前記担持体の移動限界に対する該担持体の相対位置を示す前記目視インジケータを構成する、請求項６に記載の引き戸アセンブリ。
【請求項８】
ハウジングと、
前記ハウジングに受容される担持体アセンブリと、該担持体アセンブリは、作動可能に連結されたアクチュエータリンク機構を備える一対のラッチフックを備え、該ラッチフックは、前記アクチュエータリンク機構によって、前記ラッチフックが実質的に前記ハウジング内にある第１位置と、前記ラッチフックの各々の一部が前記ハウジングからほぼ等距離だけ突出する第２位置との間で選択的に移動可能であることと、
前記ハウジングと前記担持体アセンブリを作動可能に連結する担持体位置調整アセンブリと、前記担持体アセンブリは、前記担持体位置調整アセンブリによって、前記ラッチフックが第２位置にあるときに該ラッチフックが前記ハウジングから突出する距離を変更するように、前記ハウジング内において選択的に移動可能であることと
を備える、引き戸のラッチ機構。
【請求項９】
前記担持体アセンブリがさらに衝撃音防止機構を備える、請求項８に記載のラッチアセンブリ。
【請求項１０】
前記衝撃音防止機構が前記ハウジングから突出するボタンを備える、請求項９に記載のラッチアセンブリ。
【請求項１１】
前記衝撃音防止機構は、前記担持体位置調整アセンブリによって、前記ボタンが前記ハウジングから突出する距離を変更するように移動可能である、請求項１０に記載のラッチアセンブリ。
【請求項１２】
前記担持体位置調整アセンブリが回転可能なねじを備える、請求項８に記載のラッチアセンブリ。
【請求項１３】
前記担持体位置調整アセンブリが、前記担持体の移動限界に対する該担持体の相対位置を示す目視インジケータを備える、請求項８に記載のラッチアセンブリ。
【請求項１４】
前記担持体位置調整アセンブリが回転可能なねじを備え、前記ハウジングが前記回転可能なねじへのアクセスを可能にする長尺状開口を画成し、該長尺状開口内における前記回転可能なねじの位置が、前記担持体の移動限界に対する該担持体の相対位置を示す前記目視インジケータを構成する、請求項１３に記載のラッチアセンブリ。
【請求項１５】
ハウジングと、
前記ハウジングに受容される担持体アセンブリと、該担持体アセンブリは、作動可能に連結されたアクチュエータリンク機構を備える一対のラッチフックを備え、該ラッチフックは、前記アクチュエータリンク機構によって、前記ラッチフックが実質的に前記ハウジング内にある第１位置と、前記ラッチフックの各々の一部が前記ハウジングからほぼ等距離だけ突出する第２位置との間で選択的に移動可能であることと、
前記ラッチフックが第２位置にあるときに該ラッチフックが前記ハウジングから突出する距離を変更するように、前記ハウジング内で前記担持体アセンブリを選択的に移動させる手段と
を備える、引き戸のラッチ機構。
【請求項１６】
前記担持体アセンブリがさらに衝撃音防止機構を備える、請求項１５に記載のラッチアセンブリ。
【請求項１７】
前記衝撃音防止機構が前記ハウジングから突出するボタンを備える、請求項１６に記載のラッチアセンブリ。
【請求項１８】
前記衝撃音防止機構は、前記ハウジング内で担持体アセンブリを選択的に移動させる手段によって、前記ボタンが前記ハウジングから突出する距離を変更するように移動可能である、請求項１７に記載のラッチアセンブリ。
【請求項１９】
前記担持体位置調整アセンブリが、前記担持体の移動限界に対する該担持体の相対位置を示す手段を備える、請求項１５に記載のラッチアセンブリ。
【請求項２０】
前記担持体アセンブリ全体が前記ハウジングに受容される、請求項１５に記載のラッチアセンブリ。
【発明の詳細な説明】
【技術分野】
【０００１】
本発明は、引き戸のための調整可能なロック機構に関する。より詳細には、本発明の二重ロックは、１箇所の調整で２つのロック部材の位置を変更することができる。
【背景技術】
【０００２】
スライド式パティオドアなどの典型的な引き戸設備では、引き戸の框のロック面に取り付けられる機構によって戸にラッチを掛ける。一重ラッチ機構では、単一のフックまたは他のラッチ部品が、ドア枠に設けられる受け（保持）部品と係合して戸にラッチを掛けるとともに、戸をラッチ状態に維持する。一重ラッチ機構は多くの場合十分な性能を提供するが、単一のフックの使用では家の所有者が望むセキュリティを提供し得ないことが多い。
【０００３】
家の所有者がセキュリティの向上を望むことに応えて、引き戸設備で使用するための多重ラッチ機構が開発されている。これら多重機構は引き戸の框のロック面に取り付けることができ、多重ラッチ要素が、ドア枠に取り付けられた受容構造と係合する。これら多重ラッチは、追加のロック強度を提供してラッチ機構のセキュリティを高めることにより、こじ開け侵入の可能性を低減する。
【発明の開示】
【発明が解決しようとする課題】
【０００４】
引き戸のラッチの取り付け中に生じる典型的な問題は、構造上の差異に起因してラッチ要素が保持具と確実に係合しない可能性があることである。このような場合、ラッチ要素の位置、特にラッチ要素が機構もしくは保持具、またはその両方から突出する距離を調整して、確実な係合を得ることが望ましい。しかし、従来の多重ラッチ機構は、ラッチ要素用の調整機構を全く備えていないか、あるいは各ラッチ点において個別の調整を要する複雑な機構を備えていた。また、これまでにも、複数のラッチ点の位置を同時に調整するための単一の調整点を多重ラッチ機構に設ける試みがなされてきたが、この結果得られた機構では、調整機構があるラッチ点を他のラッチ点よりも大きく移動させる。その結果、決して理想的なラッチ係合といえるものではなかった。
【０００５】
公知の調整可能な多重ラッチ機構の別の欠点は、機構の調整範囲が通常は目視で分からない点である。このため、限界に達するまで実際に調整操作しなければ、装置が移動限界の１つにある、もしくはその付近にあるかどうかを容易に判断することができない。
【０００６】
このように、当業界には、セキュリティを向上させるのみならず、適切に受容構造と係合するために迅速かつ容易なラッチ調整を行うことができる多重ラッチアセンブリが依然として必要とされている。
【課題を解決するための手段】
【０００７】
本発明の実施形態は、１つ以上のラッチ部材の位置を変える単一の調整点を有する多重ラッチアセンブリを提供することにより、前述の当業界の要望を実質的に満たす。
本発明の一実施形態では、引き戸アセンブリは、開口部を画成するドア枠と、ドア枠により画成される開口部の開閉を行うためにドア枠の軌道上で摺動可能な戸とを備える。戸は、縁にほぞ穴を有する縦框を備える。ラッチアセンブリはほぞ穴に受容される。また、ラッチアセンブリは、ハウジングと該ハウジングに受容される担持体アセンブリとを備える。担持体アセンブリは、作動可能に連結されたアクチュエータリンク機構を備える一対のラッチフックを備える。ラッチフックは、アクチュエータリンク機構によって、ラッチフックが実質的にハウジング内にある第１位置と、ラッチフックの各々の一部がハウジングからほぼ等距離だけ突出してドア枠と係合する第２位置との間で選択的に移動可能である。ラッチアセンブリはさらに、ハウジングと担持体アセンブリを作動可能に連結する担持体位置調整アセンブリを備える。担持体アセンブリは、担持体位置調整アセンブリによって、ラッチフックが第２位置にあるときに該ラッチフックがハウジングから突出する距離を変更するように、ハウジング内において選択的に移動可能である。
【０００８】
別の実施形態では、担持体アセンブリは衝撃音防止機構を備えることができる。衝撃音防止機構は、ハウジングから突出するボタンを備えることができ、また、担持体位置調整アセンブリによって、ボタンがハウジングから突出する距離を変更するように移動可能であってもよい。
【０００９】
別の実施形態では、担持体位置調整アセンブリは回転可能なねじを備えることができる。担持体位置調整アセンブリは、担持体の移動限界に対する該担持体の相対的な位置を示す目視インジケータを備えることができる。ハウジングは、回転可能なねじにアクセスするための長尺状開口を画成することができ、長尺状開口内における回転可能なねじの位置は、担持体の移動限界に対する該担持体の相対的な位置を示す目視インジケータを構成することができる。
【００１０】
別の実施形態では、引き戸のラッチ機構は、ハウジングと、該ハウジングに受容される担持体アセンブリとを備える。担持体アセンブリは、作動可能に連結されたアクチュエータリンク機構を有する一対のラッチフックを備え、該ラッチフックは、アクチュエータリンク機構によって、ラッチフックが実質的にハウジング内にある第１位置と、ラッチフックの各々の一部がハウジングからほぼ等距離だけ突出する第２位置との間で選択的に移動可能である。ラッチ機構はさらに、ハウジングと担持体アセンブリを作動可能に連結する担持体位置調整アセンブリを備え、担持体アセンブリは、担持体位置調整アセンブリによって、ラッチフックが第２位置に位置するときに該ラッチフックがハウジングから突出する距離を変更するように、ハウジング内で選択的に移動可能である。
【００１１】
別の実施形態では、引き戸のラッチ機構は、ハウジングと、該ハウジングに受容される担持体アセンブリとを備える。担持体アセンブリは、作動可能に連結されたアクチュエータリンク機構を備える一対のラッチフックを備え、該ラッチフックは、アクチュエータリンク機構によって、ラッチフックが実質的にハウジング内にある第１位置と、ラッチフックの各々の一部がハウジングからほぼ等距離だけ突出する第２位置との間で選択的に移動可能である。ラッチ機構はさらに、ラッチフックが第２位置にあるときに該ラッチフックがハウジングから突出する距離を変更するように、ハウジング内で担持体アセンブリを選択的に移動させる手段を備える。ハウジング内で担持体アセンブリを選択的に移動させる手段は、担持体の移動限界に対する該担持体の相対的な位置を示す手段を備えることができる。
【００１２】
このように、本発明の実施形態では、多重ラッチアセンブリが、２つまたはそれ以上の数のラッチ部材の位置を調整するための単一の調整点を提供する。
本発明の実施形態は、単一の調整部材を用いて一対のラッチ部材の位置を調整する方法を含むことができる。該方法はさらに、例えば目視点検溝内に単一の調整部材の位置を示すことによって、担持体の移動限界に対する該担持体の相対的な位置の目視表示を提供することを含んでもよい。該方法はさらに、単一の調整部材が操作される状態にラッチ部材の移動を制限するように固定外側ハウジングおよび可動内側ハウジング上に角度をなして対向する溝を設けることによって、ラッチ部材にかかる外力に抵抗することを含む。
【００１３】
本発明の実施形態では、多重ラッチアセンブリは、単一の入力部材によりラッチを操作する。
本発明の実施形態では、多重ラッチアセンブリは、２つまたはそれ以上の数のラッチ部材の位置も調整する担持体位置調整機構によって位置調整が可能な衝撃音防止機構を備える。
【００１４】
本明細書を通じて、上下などの相対的な用語の言及は説明の便宜上のために用いるものであって、本発明またはその要素をいずれか１つの位置的もしくは空間的な配向に制限するものではない。また、当然のことながら添付の図面に示される構成要素の様々な寸法は、本発明の範囲を逸脱することなく、本発明の特定の適用および意図する用途に応じて変更することができる。
【００１５】
上述した本発明の様々な実施形態の概要は、本発明の例示した各実施形態もしくはすべての実施を説明するものではなく、実施形態は、当業者が本発明の原理および実施を理解できるように選択して説明したものである。以下の図面および詳細な説明により、これら実施形態をより具体的に例示する。
【００１６】
本発明は、添付の図面に関連する本発明の様々な実施形態についての以下の詳細な説明を考慮することにより、より完全に理解できるであろう。
本発明は様々な改変及び代替形態が可能であるが、その特定のものについて図面に例として示し、詳細に説明する。しかしながら、これは、本発明を説明する特定の実施形態に限定することを意図したものではなく、本発明は、すべての改変物、均等物、および代替物をも包含するものである。
【発明を実施するための最良の形態】
【００１７】
本発明の実施形態によるラッチアセンブリを有する引き戸アセンブリ２０を図１ａに概略的に示す。一般的に引き戸アセンブリ２０は、戸２２と、枠２４と、ハンドルアセンブリ２６と、ラッチアセンブリ３０とを備える。戸２２は概して、当業でよく知られているように、枠２４に装着される軌道（図示せず）内で矢印方向に摺動可能である。図示されるように、ラッチアセンブリ３０は、戸２２の縦框２８のほぞ穴２７に受容される。以下詳細に説明するように、サムターン２９、またはタング２９ａを有する他の制御部がラッチアセンブリ３０を作動させる。
【００１８】
本発明の一実施形態によるラッチアセンブリ３０を図１〜１８に概略的に示す。ラッチアセンブリ３０の様々な構成要素は、例えば炭素鋼、ステンレス鋼、アルミニウム、およびこれらの組み合わせなどの金属、または高強度ポリマー等のような他の材料を含む、好適な耐久性を有する材料から形成することができる。ラッチアセンブリ３０は概して、ハウジング３２と、担持体アセンブリ３４とを備える。ハウジング３２は概して、ハウジング本体３６と、カバープレート３８と、前側エスカッションプレート４０とを備える。ハウジング本体３６は概して、壁４２と、対向する側壁４４、４６と、前壁４８とを備える。カバープレート３８は、ガイドスロット５０と、アクチュエータ用開口５２と、カバープレート３８をハウジング本体３６に固定する固定具５６を受容する開口５４とを画成する。前側エスカッションプレート４０は、フック受け口５８と、調整ねじ用開口６０とを画成する。前側エスカッションプレート４０は、固定具６２により前壁４８に固定される。
【００１９】
担持体アセンブリ３４は一般的に、担持体ハウジング６４と、フックボルト６６、６８と、アクチュエータ摺動板７０と、アクチュエータリンク機構７２と、担持体位置調整アセンブリ７４と、衝撃音防止アセンブリ７６とを備える。担持体ハウジング６４は概して、一対の担持体ハウジング半体７８、８０を含む。担持体ハウジング半体７８は概して、突縁８４を備える平坦部８２を含む。担持体ハウジング半体８０は概して、壁８６と、後壁８８と、対向する側壁９０、９２と、前壁９４とを含む。
【００２０】
各フックボルト６６、６８は概して、フック部９６と本体部９７とを備える。各フックボルト６６、６８のボディ部９７からは、アクチュエータピン９８が突出する。図１０に示すように、フックボルト６６、６８は、それぞれ回動中心１００、１０２において、担持体ハウジング半体８０の壁８６に対して枢動可能に取り付けられる。
【００２１】
アクチュエータ摺動板７０は、２つのほぼＬ字形のフックアクチュエータスロット１０４、１０６と衝撃音防止用切欠き１０８を画成する。アクチュエータリンク機構７２は概して、シリンダ１１０と、リンク１１２と、ばね１１４とを備える。シリンダ１１０は、連結ピン１１８を有する突出リンクアーム１１６を備える。ばね１１４は、シリンダ１１０の丸い突出部１２０と、ハウジング本体３６の壁４２から延在する固定具ボス１２２との間に延在する。リンクアーム１１６は、回動中心１２４において、リンク１１２に対して枢動可能に連結され、リンク１１２は、回動中心１２６において、アクチュエータ摺動板７０に対して枢動可能に連結される。シリンダ１１０は、アクチュエータタング２９ａを受容するキー穴１２８を画成する。
【００２２】
担持体位置調整アセンブリ７４の形態をとる担持体を選択的に移動させる手段は、概して、支柱１３０とねじ１３２とを備える。以下詳細に開示するように、支柱１３０は、ハウジング本体３６の壁４２外部の保持板１３３に固定される。ねじ１３２は、支柱１３０の開口に螺入される。
【００２３】
衝撃音防止アセンブリ７６は概して、ブロック部１３４と、ボタン１３６と、ばね１３８とを備える。ブロック部１３４は、突起つまみ１４０を有する。ばね１３８は、ブロック部１３４と担持体ハウジング半体８０の後壁８８との間に延在し、ボタン１３６が前側エスカッションプレート４０から突出するようにブロック部１３４を付勢する。
【００２４】
フックボルト６６、６８は、シリンダ１１０の回転により、フック部９６がフック受け口５８から突出してドア枠の保持部と係合する図４に図示する拡張位置と、図９に示す後退位置との間で選択的に配置可能である。操作手順を図４および図７〜９に示す。最初は、アクチュエータ摺動板７０が、図４に示すように、右方向の移動限界に位置する。ばね１３８はシリンダ１１０を右回りの方向に付勢し、アクチュエータ摺動板７０の舌部１４２が衝撃音防止アセンブリ７６のブロック部１３４の突起つまみ１４０に乗り上げる。シリンダ１１０をばね１３８の付勢に逆らって左回りに回すと、リンクアーム１１６とリンク１１２がアクチュエータ摺動板７０を左側に押す。アクチュエータピン９８がフックアクチュエータスロット１０４、１０６内を摺動すると、フックボルト６６、６８がそれぞれ回動中心１００、１０２の周りを回動する。アクチュエータ摺動板７０が図９に示すように左方向の移動限界に近づくと、フックボルト６６、６８がハウジング内３２に完全に引き込まれる。衝撃音防止アセンブリ７６のブロック部１３４の突起つまみ１４０がアクチュエータ摺動板７０の衝撃音防止用切欠き１０８内に落下すると、ボタン１３６がばね１３８の付勢に逆らってハウジング３２内へと内方に押されない限りは、アクチュエータ摺動板７０の右側への動きが阻止される。この位置では、ばね１３８はシリンダ１１０を左回りの方向に付勢する。フック部９６を拡張させるために、ボタン１３６をハウジング３２内に押し下げて突起つまみ１４０と衝撃音防止用切欠き１０８との係合状態を解除することができ、シリンダ１１０が右回りに回転できるようになる。
【００２５】
本発明の実施形態によると、担持体アセンブリ３４は、完全に拡張したときにフック部９６が前側エスカッションプレート４０から外方に突出する距離を調整できるように、ハウジング３２内で選択的に移動できる。支柱１４４および支柱１３０は、大径中央部１４５と、両端の小径部１４５ａとを有する。図１８に示されるように、支柱１４４および支柱１３０の小径部１４５ａは、ハウジング本体３６の壁４２外部の保持板１３３に固定される。
【００２６】
図２に示されるように、カバープレート３８のガイドスロット５０は、前側エスカッションプレート４０に対して角度をなすように配向される。担持体ハウジング半体７８は、ガイドスロット５０の配向方向を概ね横断する方向に配向されるガイドスロット１４６を画成する。ハウジング本体３６の壁４２が、ガイドスロット５０と揃えて形成されてこれと同じ方向に配向されるガイドスロット（図示せず）を画成する一方で、担持体ハウジング半体８０の壁８６が、ガイドスロット１４６と揃えて形成されてこれと同じ方向に配向されるガイドスロット（図示せず）を画成する。支柱１４４および支柱１３０の両端の小径部１４５ａは、ガイドスロット５０、１４６内、ならびに壁４２および壁８６の対応するガイドスロット内を通るが、支柱１３０、１４４は、これらガイドスロット内で摺動可能である。支柱１３０、１４４の大径部１４５は、壁４２および壁８６のガイドスロットの幅よりも大きいため、壁４２および壁８６は、スロットの縁において、支柱１３０、１４４の大径部１４５と保持板１３３との間に捕捉される。なお、保持板１３３は、壁４２の外面上で摺動可能である。
【００２７】
担持体ハウジング半体７８は、開口１４９を貫通して担持体ハウジング半体８０から延在するボス１５０に螺入される固定具１４８によって、担持体ハウジング半体８０上に保持される。担持体ハウジング半体７８は、弓形のガイドスロット１５２、１５４を画成することができ、それぞれフックボルト６６、６８のアクチュエータピン９８を受容して案内する。また、担持体ハウジング半体７８は、衝撃音防止アセンブリ７６の突起つまみ１４０を案内するためのガイドスロット１５６を画成する。カバープレート３８は、ハウジング本体３６の壁４２から延在する固定具ボス１２２および固定具ボス１５８に螺入される固定具５６によって、ハウジング本体３６上に保持される。固定具ボス１２２、１５８は、担持体ハウジング半体７８の長円形開口１６０、１６２内、および壁８６のこれに対応する位置に揃えて形成された長円形開口内を通るため、担持体アセンブリ３４がハウジング３２内で移動できる。
【００２８】
使用時においては、フック部９６が前側エスカッションプレート４０から外方に延在する距離「Ｘ」は、担持体位置調整アセンブリ７４のねじ１３２の作用によって、図３に示す最大拡張位置と、図１７に示す最大後退位置との間の任意の位置に調整できる。担持体アセンブリ３４が図３の位置にある状態で、ねじ１３２を左回りに回転させると、ねじ１３２は、支柱１３０を前側エスカッションプレート４０から離れるように付勢しながら、螺合を解除するように支柱１３０から離脱する。支柱１３０および１４４は、ガイドスロット５０、１４６内で摺動する。担持体アセンブリ３４の対向する側壁９０、９２は、担持体アセンブリ３４の動きを前側エスカッションプレート４０に垂直な方向のみに制限しながら、ハウジング３４の対向する側壁４４、４６に当接する。しかしながら、保持板１３３が壁４２の外面上で摺動可能であるため、保持板１３３および支柱１３０、１４４は、前側エスカッションプレート４０にほぼ平行な方向にも移動できる。その結果、図１３および１４に示される本発明の実施形態の新規な態様においては、ねじ１３２は、回転させると調整ねじ用開口６０に沿って移動し、それによって移動限界に対する担持体アセンブリ３４の相対位置を示す目視手段を提供する。
【００２９】
本発明の実施形態の別の新規な態様において、衝撃音防止アセンブリ７６は担持体アセンブリ３４内に完全に収容される。その結果、ボタン１３６が前側エスカッションプレート４０から突出する距離「Ｙ」は、ねじ１３２によって、フック部９６の距離「Ｘ」と同じ距離だけ同時に調整可能である。
【００３０】
本発明の実施形態の別の新規な態様において、ハンドル固定具用穴１８０、１８２は、シリンダ１１０を同じ場所に保持しながら、ラッチアセンブリ３０に対して複数の場所に取り付けるドアハンドルセットを収容することができる。このため、例えば、異なるハンドルセットを必要とすることなく、右に摺動して閉まる引き戸の右框、および左に摺動して閉まる引き戸の左框のいずれにおいても、同じラッチアセンブリ３０を利用することができる。さらに、アクチュエータタングの位置に対する固定具の位置が異なる複数のハンドルセットも、単一のアクチュエータシリンダ１１０のみを有する同じラッチアセンブリ３０とともに用いることができる。
【００３１】
図１９に示すように、ハンドルセット１８４は概して、ハンドルエスカッション１８６とハンドル１８８とを備える。制御レバー１９０は、シリンダ１１０と係合するアクチュエータタング２９ａを駆動するように作動可能に連結される。固定具１９２、１９４は、ハンドルセット１８４を引き戸に固定する。図１９において、ハンドルセット１８４は、ラッチアセンブリ３０に対して第１位置に配向されており、タング２９ａがシリンダ１１０と係合し、固定具１９２が固定具用の穴１８２を貫通する。ラッチアセンブリ３０に対するハンドルセット１８４のこの配向は、例えば、右に摺動して閉まる戸の右框にラッチアセンブリ３０が設けられる場合に利用することができる。しかしながら、左に摺動して閉まる戸の左框でハンドルセット１８４を使用しようとする場合、ラッチアセンブリ３０をその長手方向軸を中心として反転させるだけで、固定具１９が反対側から固定具用の穴１８２を通過できるようになる。固定具１９２は、固定具用の穴１８０を貫通するように、タング２９ａからの距離をより大きくしてもよい。さらに、タング２９ａとシリンダ１１０が係合するが、固定具１９４は固定具用の穴１８０または固定具用の穴１８２を貫通するように、ラッチアセンブリ３０をその横軸を中心として反転させてもよい。このように、同一のラッチアセンブリ３０が、多様な位置において配向され、かつ引き戸の左右いずれの縦框にも配置される広範なハンドルセットに対応することができる。
【００３２】
上記実施形態は例示のためのものであり、本発明を限定することを意図したものではない。他の実施形態も請求項の範囲内に包含される。本発明について特定の実施形態を参照して説明してきたが、当業者であれば、本発明の精神および範囲を逸脱することなく、形態および細部に変更を加えることができることは認識されるであろう。本発明の請求項を解釈する上で、請求項で「ための手段」または「ための工程」という用語が記載されない限りは、米国特許法第１１２条第６段落の規定を適用すべきではないと明示する。
【図面の簡単な説明】
【００３３】
【図１ａ】本発明の一実施形態による多重ラッチアセンブリを備える引き戸の部分分解斜視図。
【図１】本発明の一実施形態による多重ラッチアセンブリの側面図。
【図２】ハウジングの一部を取り除いて担持体アセンブリを露出させた、ラッチフックが後退位置にある図１の多重ラッチアセンブリの側面図。
【図３】ラッチフックが拡張位置にある図２の多重ラッチアセンブリの側面図。
【図４】担持体アセンブリハウジングの一部を取り除いて担持体アセンブリの内部を露出させた、図２の多重ラッチアセンブリの側面図。
【図５】担持体アセンブリをハウジングの前側に向かう方向の移動限界に移動させた状態にある、図４の多重ラッチアセンブリの側面図。
【図６】担持体アセンブリをハウジングの前側から遠ざかる方向の移動限界に移動させた状態にある、図４の多重ラッチアセンブリの側面図。
【図７】ラッチフック作動中に機構が中間位置にある状態を示す、図４の多重ラッチアセンブリの側面図。
【図８】ラッチフック作動中に機構が別の中間位置にある状態を示す、図４の多重ラッチアセンブリの側面図。
【図９】ラッチフック作動中に機構がラッチフックが完全に引き込まれた位置にある状態を示す、図４の多重ラッチアセンブリの側面図。
【図１０】アクチュエータ摺動板を取り除いて機構の隠れた内部を露出させた、図４の多重ラッチアセンブリの側面図。
【図１１】図１の多重ラッチアセンブリの正面図。
【図１２】図１の多重ラッチアセンブリの背面図。
【図１３】担持体が移動限界の一方にあるラッチアセンブリを示す、図１の多重ラッチアセンブリの正面図。
【図１４】担持体が図１３に示したものとは反対側の移動限界にあるラッチアセンブリを示す、図１の多重ラッチアセンブリの正面図。
【図１５】担持体がハウジングの前面から離れた位置にあり、ラッチフックが完全に引き込まれた位置にある、図１の多重ラッチアセンブリの側面図。
【図１６】担持体がハウジングの前面から離れた位置にあり、ラッチフックが中間位置にある、図１の多重ラッチアセンブリの側面図。
【図１７】担持体がハウジングの前面から離れた位置にあり、ラッチフックが完全に拡張された位置にある、図１の多重ラッチアセンブリの側面図。
【図１８】図１の多重ラッチアセンブリを反対側から見た側面図。
【図１９】本発明の一実施形態によるハンドルセットとラッチアセンブリの斜視図。
【図１ａ】
2008255777.tif 000002
【図１】
2008255777.tif 000003
【図２】
2008255777.tif 000004
【図３】
2008255777.tif 000005
【図４】
2008255777.tif 000006
【図５】
2008255777.tif 000007
【図６】
2008255777.tif 000008
【図７】
2008255777.tif 000009
【図８】
2008255777.tif 000010
【図９】
2008255777.tif 000011
【図１０】
2008255777.tif 000012
【図１１】
2008255777.tif 000013
【図１２】
2008255777.tif 000014
【図１３】
2008255777.tif 000015
【図１４】
2008255777.tif 000016
【図１５】
2008255777.tif 000017
【図１６】
2008255777.tif 000018
【図１７】
2008255777.tif 000019
【図１８】
2008255777.tif 000020
【図１９】
2008255777.tif 000021
【手続補正書】
【提出日】平成20年7月11日(2008.7.11)
【手続補正１】
【補正対象書類名】図面
【補正対象項目名】全図
【補正方法】変更
【補正の内容】
【図１ａ】
2008255777.tif 000022
【図１】
2008255777.tif 000023
【図２】
2008255777.tif 000024
【図３】
2008255777.tif 000025
【図４】
2008255777.tif 000026
【図５】
2008255777.tif 000027
【図６】
2008255777.tif 000028
【図７】
2008255777.tif 000029
【図８】
2008255777.tif 000030
【図９】
2008255777.tif 000031
【図１０】
2008255777.tif 000032
【図１１】
2008255777.tif 000033
【図１２】
2008255777.tif 000034
【図１３】
2008255777.tif 000035
【図１４】
2008255777.tif 000036
【図１５】
2008255777.tif 000037
【図１６】
2008255777.tif 000038
【図１７】
2008255777.tif 000039
【図１８】
2008255777.tif 000040
【図１９】
2008255777.tif 000041
【外国語明細書】
2008255777.tif 000042
2008255777.tif 000043
2008255777.tif 000044
2008255777.tif 000045
2008255777.tif 000046
2008255777.tif 000047
2008255777.tif 000048
2008255777.tif 000049
2008255777.tif 000050
2008255777.tif 000051
2008255777.tif 000052
2008255777.tif 000053
2008255777.tif 000054
2008255777.tif 000055
2008255777.tif 000056
2008255777.tif 000057
2008255777.tif 000058
2008255777.tif 000059
2008255777.tif 000060
2008255777.tif 000061
2008255777.tif 000062
2008255777.tif 000063
2008255777.tif 000064
2008255777.tif 000065
2008255777.tif 000066
2008255777.tif 000067
2008255777.tif 000068
2008255777.tif 000069